(57)【要約】【課題】レンジフード付高周波加熱装置において、照明装置の寿命を長くし、交換する作業をほとんど不要にすること。【解決手段】被加熱物１６を調理する加熱調理装置の上方に設けられるレンジフード付電子レンジ８において、装置本体内に設けられ被加熱物１６を収納する加熱室１と、加熱室１内に高周波電力を供給するマグネトロン３と、加熱室１の壁面の外側に隣接して設けられたＬＥＤ照明４と、装置本体の下部に設け下方調理装置を照明するＬＥＤ照明５と、マグネトロン３とＬＥＤ照明４，５とを制御する制御部１２とを備え、ＬＥＤ照明５は、制御部１２が制御するスイッチング電源１３から電源供給することにより、ＬＥＤ照明５の寿命が長くなり半永久的に使用できるので、交換作業が不要になり、使い勝手が向上するとともに、高周波加熱装置の消費電力を低減できる。【選択図】図１
2012225577.tif 000002
【特許請求の範囲】
【請求項１】
被加熱物を調理する加熱調理装置の上方に設けられるレンジフード付高周波加熱装置において、装置本体内に設けられ被加熱物を収納する加熱室と、前記加熱室内に高周波電力を供給する高周波発生手段と、前記加熱室の側壁の外側に隣接して設けられた庫内照明装置と、前記装置本体の下部に設け前記加熱調理装置を照明する下方照明装置と、前記高周波発生手段と前記庫内照明装置と前記下方照明装置とを制御する制御する制御手段とを備え、
前記下方照明装置は発光ダイオードを用いたＬＥＤ照明であり、前記制御手段が制御するスイッチング電源から電源供給されるレンジフード付高周波加熱装置。
【請求項２】
庫内照明装置は発光ダイオードを用いたＬＥＤ照明であり、制御手段が制御するスイッチング電源から電源供給される請求項１に記載のレンジフード付高周波加熱装置。
【発明の詳細な説明】
【技術分野】
【０００１】
本発明は、高周波加熱装置で機器本体の下方に設置された他の加熱調理装置から発生する生成ガスを室内循環もしくは戸外に排出するフードファン機能を備え、かつ下方に設置した調理器の調理物を照明する照明装置を有するレンジフード付き高周波加熱装置に関するものである。
【背景技術】
【０００２】
従来、レンジフード付高周波加熱装置の照明装置は、本体下部に設けられた下方照明用ランプと、本体内に設けられた加熱室内照明用ランプ（庫内灯）とを備えている（例えば、特許文献１参照）。
【０００３】
下方照明用ランプは、高周波加熱装置本体下方に設置されたコンロ等調理機器、及びこの調理機器で調理されている調理物を照明する機能と共に、間接照明として台所内照明灯の機能とが、顧客（使用者）から求められている。そして、その使用頻度は、加熱室内照明用の庫内灯と比べて、格段に下方照明用ランプの方が、高い頻度でしかも長い時間使われている。
【０００４】
そのため、下方照明用ランプが破損することが多く、その場合、顧客自身で交換することが一般的となっており、多くの製造メーカーでは、サービス部品として取扱われていない。
【０００５】
また、レンジフード付高周波加熱装置では、消費電力の上限値が設定されているため、照明装置に電力を供給するため、その供給電力分だけ、電力を高周波加熱調理機能や循環ファン機能へ電力を抑制している。
【０００６】
さらに、照明装置へ供給している家庭用商用電源の電圧値に対応した、絶縁構成を設けることにより、安全性を確保するようしている。
【先行技術文献】
【特許文献】
【０００７】
【特許文献１】特開２００３−２８４３１号公報
【発明の概要】
【発明が解決しようとする課題】
【０００８】
しかしながら、一方では、近年、高周波加熱装置本体下方に設置されたガスや電気を用いた調理機器は、従来主流であった４口コンロのものから５口へと機能が向上しており、それに伴って、高周波加熱装置本体下方で調理中の調理物を照明する機能の向上も求められている。そして、その手段として、下方照明用ランプが、白熱球のものからハロゲン電球のものへと、また、消費電力が２０Ｗから４０Ｗのものへと、性能向上と共に多様化している。
【０００９】
また、他方では、製造メーカーでは、部品共用化（共通化）の利点から、レンジフード付高周波加熱装置の下方照明用ランプは、交換頻度が低い高周波加熱装置の庫内照明灯と同じものが用いられる場合が多く、製造メーカー各社によって、白熱球やハロゲンなどの種類や取付形状、ワット数などの仕様がまちまちであった。
【００１０】
このため、下方照明用ランプが、破損した場合、顧客が、取り付けピンのピッチが同じ
ランプや、取り付けピンの形状が同じランプ、適切な交換品を市場で探し出すことが、容易ではないという課題を有していた。
【００１１】
本発明は、前記従来の課題を解決するもので、照明装置の寿命を長くし、交換する作業をほとんど不要としたレンジフード付高周波加熱装置を提供することを目的とする。
【課題を解決するための手段】
【００１２】
前記従来の課題を解決するために、本発明のレンジフード付高周波加熱装置は、被加熱物を調理する加熱調理装置の上方に設けられるレンジフード付高周波加熱装置において、装置本体内に設けられ被加熱物を収納する加熱室と、前記加熱室内に高周波電力を供給する高周波発生手段と、前記加熱室の壁面の外側に隣接して設けられた庫内照明装置と、前記装置本体の下部に設け前記加熱調理装置を照明する下方照明装置と、前記高周波発生手段と前記庫内照明装置と前記下方照明装置とを制御する制御する制御手段とを備え、前記下方照明装置は発光ダイオードを用いたＬＥＤ照明であり、前記制御手段が制御するスイッチング電源から電源供給したものである。
【００１３】
これによって、下方照明装置としてＬＥＤ照明を用いることにより、下方照明装置の寿命が長くなり半永久的に使用できるので、交換作業が不要になり、使い勝手が向上する。
【００１４】
また、下方照明装置をＬＥＤ照明にすることにより、高周波加熱装置の消費電力を低減できるので、その低減電力相当を高周波加熱調理機能や循環ファン機能へ、配分し調理性能を向上できる。
【００１５】
また、下方照明装置への供給電圧を低くでき、絶縁構成を簡単にしながら、安全性を向上できる。
【発明の効果】
【００１６】
本発明のレンジフード付高周波加熱装置は、下方照明装置としてＬＥＤ照明を用いることにより、下方照明装置の寿命が長くなり半永久的に使用できるので、交換作業が不要になり、使い勝手が向上するとともに、高周波加熱装置の消費電力を低減できるので、その低減電力相当を高周波加熱調理機能や循環ファン機能へ、配分し調理性能を向上でき、しかも、下方照明装置への供給電圧を低くできるので、絶縁構成を簡単にしながら、安全性を向上することができる。
【図面の簡単な説明】
【００１７】
【図１】本発明の実施の形態１におけるレンジフード付高周波加熱装置の構造を示す正面視概略構成図
【図２】本発明の実施の形態１におけるレンジフード付高周波加熱装置のＬＥＤ照明の電力抑制効果を示す特性図
【図３】同実施の形態におけるレンジフード付高周波加熱装置のスイッチング電源の制御回路の概略回路図
【発明を実施するための形態】
【００１８】
第１の発明は、被加熱物を調理する加熱調理装置の上方に設けられるレンジフード付高周波加熱装置において、装置本体内に設けられ被加熱物を収納する加熱室と、前記加熱室内に高周波電力を供給する高周波発生手段と、前記加熱室の側壁の外側に隣接して設けられた庫内照明装置と、前記装置本体の下部に設け前記加熱調理装置を照明する下方照明装置と、前記高周波発生手段と前記庫内照明装置と前記下方照明装置とを制御する制御手段とを備え、前記下方照明装置は発光ダイオードを用いたＬＥＤ照明であり、前記制御手段が制御するスイッチング電源から電源供給することにより、下方照明装置としてＬＥＤ照
明を用いることにより、下方照明装置の寿命が長くなり半永久的に使用できるので、交換作業が不要になり、使い勝手が向上するとともに、高周波加熱装置の消費電力を低減できるので、その低減電力相当を高周波加熱調理機能や循環ファン機能へ、配分し調理性能を向上でき、しかも、下方照明装置への供給電圧を低くできるので、絶縁構成を簡単にしながら、安全性を向上することができる。
【００１９】
第２の発明は、特に、第１の発明の庫内照明装置は、発光ダイオードを用いたＬＥＤ照明であり、制御手段が制御するスイッチング電源から電源供給することにより、高周波加熱装置全体としても、ランプ（照明装置）の交換作業が不要になり、使い勝手が向上するとともに、高周波加熱装置の消費電力を低減できる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるレンジフード付高周波加熱装置の構造を示す正面視概略構成図である。図２は、同実施の形態におけるレンジフード付高周波加熱装置のＬＥＤ照明の電力抑制効果を従来の照明装置と比較した特性図を示すものである。図３は、同実施の形態におけるレンジフード付高周波加熱装置のスイッチング電源の制御回路の概略回路図を示すものである。
【００２２】
図１において、レンジフード付電子レンジ８（レンジフード付高周波加熱装置）は、ガスコンロ１１（下方調理装置）の上方に取り付けられている。レンジフード付電子レンジ８の上部には、循環ファンを設けており、レンジフード付電子レンジ８の下部に開口した生成ガス吸気口７から取り入れた、ガスコンロ１１から発生する生成ガスを、レンジフード付電子レンジ８の背面側に設けた排気通路９を通し、戸外に排気している。
【００２３】
レンジフード付電子レンジ８の本体の中には、食品などの高周波加熱調理物１６（被加熱物）を収納し加熱調理する加熱室１が設けられている。レンジフード付電子レンジ８の本体の中には、加熱室１と並んで、機械室１７が設けられ、マグネトロン３（高周波発生手段）が配置されている。マグネトロン３で発生した２．４５ＧＨｚ帯の高周波電波は、導波管１４を伝搬して、加熱室１内へ供給される。
【００２４】
加熱室１は、略直方体形状で、前面の開口には、開閉可能にドア（図示せず）が設けられている。また、加熱室１の壁面には、高周波電波が漏洩しないように形成された複数の庫内照明用孔１５が設けられている。これらの庫内照明用孔１５に隣接して、壁面の外側に庫内照明装置としてのＬＥＤ照明４が設けられている。このＬＥＤ照明４は、庫内照明用孔１５を通して加熱室１内を照明し、使用者が、調理の進行状況を確認することができるようにしている。
【００２５】
レンジフード付電子レンジ８の下部には、ガスコンロ１１を照明する下方照明装置としてのＬＥＤ照明５が設けられている。このＬＥＤ照明５は、発光ダイオードを用いたものである。ＬＥＤ照明５の下部で、かつレンジフード付電子レンジ８の底部壁面には、下方照明光透過用窓１８が取りつけられ、ガスコンロ１１から発生する生成ガスが、ＬＥＤ照明５の近傍に侵入するのを防止している。ＬＥＤ照明５は、スイッチング電源１３から、１２ＶＤＣ電源を供給されている。
【００２６】
なお、本実施の形態では、ＬＥＤ照明４への供給電圧を１２Ｖとしたが、これに限定されるものではなく、４０Ｖ程度より電圧値が低い低電圧電源であればよい。
【００２７】
制御部１２（制御手段）は、機械室１７の中に設けられ、マグネトロン３、各ＬＥＤ照明４，５のＯＮ／ＯＦＦ制御、及びスイッチング電源１３のＯＮ／ＯＦＦ制御を行う。
【００２８】
図２は、レンジフード付電子レンジ８のＬＥＤ照明の電力抑制効果を示す特性図である。図２の（ａ）例１は、従来の照明装置を用いた動作時を示している。また、図２の（ｂ）例２は、庫内照明装置は従来装置を用い、下方照明装置のみＬＥＤ照明にした場合を示している。そして、図２の（ｃ）例３は、庫内照明装置、下方照明装置共に、ＬＥＤ照明にした場合を示している。
【００２９】
以上のように構成されたレンジフード付高周波加熱装置について、以下その動作、作用を説明する。
【００３０】
まず、レンジフード付電子レンジ８を使用して調理する場合、レンジフード付電子レンジ８の加熱室１に高周波加熱調理物１６を収納し、マグネトロン３を運転して、加熱室１へ高周波電波を供給する。これにより、加熱室１内の高周波加熱調理物１６を加熱する。この時、調理中は、庫内照明装置としてのＬＥＤ照明４をＯＮし、制御部１２が、スイッチング電源１３をＯＮして、商用電圧を１２Ｖの低電圧化し、電源をＬＥＤ照明４へ供給する。このＬＥＤ照明４が、加熱室１内を照明することにより、使用者が、調理の進行状況を確認することができる。そして、調理が終了すると、制御部１２がスイッチング電源１３をＯＦＦし、ＬＥＤ照明４がＯＦＦする。図３において、レンジフード付高周波加熱装置のスイッチング電源の制御回路の概略回路図を示す。
【００３１】
また、レンジフード付電子レンジ８の下方に設けた、ガスコンロ１１を使用して調理する時、調理されている調理物を照明するために、ＬＥＤ照明５をＯＮ操作する。また、間接照明として台所内照明灯として利用する目的でも、ＬＥＤ照明５をＯＮ操作する。ＬＥＤ照明５をＯＮ操作すると、制御部１２がスイッチング電源１３をＯＮして、低電圧電源（例えば１２ＶＤＣ）をＬＥＤ照明５へ供給するよう制御する。
【００３２】
ＬＥＤ照明５は、１２Ｖ電源を供給され、レンジフード付電子レンジ８の下方を照明する。ＬＥＤ照明５を消灯する時は、ＬＥＤ照明５をＯＦＦ操作すると、制御部１２がスイッチング電源１３をＯＦＦする。
【００３３】
なお、庫内照明装置としてのＬＥＤ照明４の方が、下方照明装置としてのＬＥＤ照明５より、暗くてもよい。これは、庫内照明装置としてのＬＥＤ照明４は、加熱室１内の調理中の食品を調理の進行が分かる程度でよいのに対し、下方照明装置としてのＬＥＤ照明５は、ガスコンロ１１を照明したり、台所内を照明したりする必要があるからである。例えば、下方照明装置としてのＬＥＤ照明５が４Ｗ程度であれば、庫内照明装置としてのＬＥＤ照明４は２Ｗ程度でよい。
【００３４】
以上のように、本実施の形態においては、下方照明装置としてＬＥＤ照明５を用いることにより、下方照明装置の寿命が長くなり半永久的に使用できるので、交換作業が不要になり、使い勝手が向上する。
【００３５】
また、下方照明装置をＬＥＤ照明５にすることにより、高周波加熱装置の消費電力を低減できるので、その低減電力相当を高周波加熱調理機能や循環ファン機能へ、配分し調理性能を向上できる。
【００３６】
さらに、下方照明装置への供給電圧を低くでき、絶縁構成を簡単にしながら、安全性を向上できる。
【００３７】
そして、下方照明装置だけではなく庫内照明装置もＬＥＤ照明４にすることにより、スイッチング電源１３を共用化しながら、下方照明装置をＬＥＤ照明５にすることによる効果と同様の効果を、下方照明装置をＬＥＤ照明５にすることによって得られる効果以上に、得ることができる。
【産業上の利用可能性】
【００３８】
以上のように、本発明にかかるレンジフード付高周波加熱装置は、下方照明装置の寿命が長くなり半永久的に使用できるので、家庭用だけではなく、業務用の高周波加熱装置にも適用できる。
【符号の説明】
【００３９】
１  加熱室
２  電力供給装置
３  マグネトロン（高周波発生手段）
４  ＬＥＤ照明（庫内照明装置）
５  ＬＥＤ照明（下方照明装置）
８  レンジフード付電子レンジ（レンジフード付高周波加熱装置）
１１  ガスコンロ（下方調理装置）
１２  制御部（制御手段）
１３  スイッチング電源
１４  導波管
１５  庫内照明用孔
１６  高周波加熱調理物（被加熱物）
１７  機械室
１８  下方照明光透過用窓
【図１】
2012225577.tif 000003
【図２】
2012225577.tif 000004
【図３】
2012225577.tif 000005